(57)【要約】【課題】防塵性能および放熱性能の高い光ディスク装置を提供する。【解決手段】ディスクを載置して回転させるディスク回転手段と、ディスクに記録あるいは再生を行う複数個の光ヘッドと、光ヘッドをディスクの略一半径方向に移送可能に案内する案内手段と、光ヘッドを案内手段に沿って移送させるための移送駆動手段と、ディスク回転手段と案内手段と移送駆動手段とを一体的に配設するベース部材と、ベース部材と複数の光ヘッドとを略密閉状態で収容する筐体とを具備することを特徴とする光ディスク装置であって、筐体のディスク外周側に開口部を設け、開口部を開閉する開閉部材を設け、ディスク外周側に移送した光ヘッドが開閉部材を押し開き、光ヘッドの少なくとも一部が筐体の外部に突出する構成とする。【選択図】　図１
2004030735.tif 000002
【特許請求の範囲】
【請求項１】
ディスクを載置して回転させるディスク回転手段と、前記ディスクに記録あるいは再生を行う複数個の光ヘッドと、前記光ヘッドを前記ディスクの略一半径方向に移送可能に案内する案内手段と、前記光ヘッドを前記案内手段に沿って移送させるための移送駆動手段と、前記ディスク回転手段と前記案内手段と前記移送駆動手段とを一体的に配設するベース部材と、前記ベース部材と前記複数の光ヘッドとを略密閉状態で収容する筐体とを具備することを特徴とする光ディスク装置。
【請求項２】
筐体のディスク外周側に開口部を設け、前記開口部を開閉する開閉部材を設け、ディスク外周側に移送した光ヘッドが前記開閉部材を押し開き、前記光ヘッドの少なくとも一部が前記筐体の外部に突出することを特徴とする請求項１に記載の光ディスク装置。
【請求項３】
光ヘッドの少なくとも一部が筐体から突出しているときに前記光ヘッドと前記筐体の開口部との間に前記筐体の開口部を塞ぐ第１のシール部材を具備することを特徴とする請求項２に記載の光ディスク装置。
【請求項４】
筐体から突出した光ヘッドの一部を冷却する冷却手段を設けたことを特徴とする請求項２または請求項３に記載の光ディスク装置。
【請求項５】
上下に配列された光ヘッドのうち上方にある光ヘッドの下面に、下方にある光ヘッドの集光レンズに当接して除塵する第１の除塵手段を設けたことを特徴とする請求項１から請求項４のいずれかに記載の光ディスク装置。
【請求項６】
筐体内にディスクを保持するトレイを有し、前記トレイに光ヘッドと前記トレイとの相対移動により前記光ヘッドの集光レンズに当接して除塵を行う第２の除塵手段を設けたことを特徴とする請求項１から請求項５のいずれかに記載の光ディスク装置。
【請求項７】
光ヘッドの上面に、第１の除塵手段あるいは第２の除塵手段と当接して前記第１の除塵手段あるいは前記第２の除塵手段に付着した塵埃の除去を行う突起部を設けたことを特徴とする請求項５または請求項６に記載の光ディスク装置。
【請求項８】
突起部の近傍に、突起部により除去した塵埃を吸着する粘着部を設けたことを特徴とする請求項７に記載の光ディスク装置。
【請求項９】
第１の除塵手段あるいは第２の除塵手段は光ヘッドの埃を拭き取るブラシであることを特徴とする請求項５から請求項８のいずれかに記載の光ディスク装置。
【請求項１０】
筐体は内部の遮断部材により第１の空間と第２の空間とに分割され、前記第１の空間にベース部材を格納し、前記第２の空間に光ヘッドを収納し、前記光ヘッドが前記第１の空間と前記第２の空間とを行き来するときに前記遮断部材を押し開くことを特徴とする請求項９に記載の光ディスク装置。
【請求項１１】
遮断部材は上下または左右２つの対向する揺動部材から成り、前記揺動部材の間に光ヘッドのフラットケーブルが通る間隙を設けたことを特徴とする請求項１０に記載の光ディスク装置。
【請求項１２】
第１の空間と第２の空間との間で、前記第１の空間と前記第２の空間とを略密閉状態で分割する第２のシール部材を具備することを特徴とする請求項１０に記載の光ディスク装置。
【請求項１３】
遮断部材は複数の光ヘッドを個別に内部に格納する遮蔽部材であることを特徴とする請求項１０から請求項１２のいずれかに記載の光ディスク装置。
【請求項１４】
光ヘッドの集光レンズまわりの可動しろを覆う被覆部材を設けたことを特徴とする請求項１から請求項９のいずれかに記載の光ディスク装置。
【請求項１５】
光ヘッドの移送に伴い被覆動作あるいは被覆解除動作を行う被覆部材を設けたことを特徴とする請求項１４に記載の光ディスク装置。
【発明の詳細な説明】
【０００１】
【発明の属する技術分野】
本発明は、光によってデータを記録あるいは再生することが可能な光ディスクに用いる光ヘッドを複数個備え、必要に応じて各光ヘッドを移送ユニットに装着して、各々に対応した光ディスクの記録あるいは再生を行う光ディスク装置に関する。
【０００２】
【従来の技術】
光ビームを用いてディスク状の記録媒体に記録あるいは再生を行う、ＣＤや、さらに高記録密度であるＤＶＤ等の記録再生光ディスク装置とこれに使用する光ディスク媒体が、すでに広く世の中に普及している。また昨今においては、さらなる高記録密度化の技術開発も加速されている。
【０００３】
これらの装置、媒体の記録再生形態は、再生専用のものから、追記型あるいは書き換え型と、その用途により多種のものが存在する。
【０００４】
このように、光ディスク装置とこれに使用する光ディスク媒体には、多種多様のものが存在しているのが現状であり、各々の記録あるいは再生にはこれらに応じた装置と媒体が必要である。装置の中でもとりわけ直接光ビームを出射する光ヘッドは、多様な記録再生形態や記録密度に対応可能となるよう１つのヘッドで構成することが理想である。しかしながら、複数波長、複数種類の光学系の組み合わせを行うにあたっては、各々で必要な特性を得るのが困難な場合が多く、十分なマージンが確保できずに微妙な使用条件の違いによりその特性が変化して使用に耐えなくなることがある。これを回避するためには可能な限り光ビームの波長あるいは光学系を特化した光ヘッドに機能を分離して、各々の光ヘッドにて各々対応したディスクの記録あるいは再生を行うのが光ヘッドのサイズ、信頼性マージンあるいは製造調整コストや部品コストの観点より得策である場合が多い。
【０００５】
一方、上記のような装置において、光ヘッド以外の部位については、ほぼ同形状のディスクを扱うのであれば、設置スペースや装置コストの観点より、極力一台分の部材で構成するのが好ましい。
【０００６】
これらを考慮に入れると、多種多様な光ディスクの記録あるいは再生を可能とする装置を構成するためには、装置で記録あるいは再生を行うべくディスクに対応した光ヘッドを複数個備え、光ヘッド以外の部分を一台分で構成し、各ディスクの記録あるいは再生時に各々の光ヘッドを対応させることが望ましい。
【０００７】
これを実現するための方法として、例えば特願２００１−３０７２４８号では、光ディスク回転手段と、光ヘッドを光ディスクの略一半径方向に移送可能に案内する一対の案内手段と、複数個の光ヘッドを同時に並列配置して格納する光ヘッド格納手段とを設け、光ヘッド格納手段より案内手段に対して複数個の光ヘッドを各々装入または排出する構成の光ディスク装置が提案されている。
【０００８】
以下に、特願２００１−３０７２４８号で提案されている光ディスク装置の概念を説明する。
【０００９】
まず本例における光ディスク装置の概略構成について説明する。図７は本例の光ディスク装置全体の構成概念を示す図である。
【００１０】
まず、光ディスクへ記録あるいは再生を行う部分の構成について説明する。１は光により記録あるいは再生が可能な光ディスク、２は光ディスク１を回転させるディスクモータ（ディスク回転手段）で、光ディスク１はディスクモータ２のロータと一体的に回転するターンテーブル２Ａの上に載置されて回転する。また、３はディスクをターンテーブル２Ａにチャッキングするクランパである。
【００１１】
４は、光ヘッドを、光ディスク１の一半径方向に移送するための案内を行うガイドシャフト（案内手段）である。なお図７においては、ガイドシャフト４に光ヘッドが装着されていない状態を示している。５はディスクモータ２およびガイドシャフト４を一体的に配設する移送ベース（ベース部材）で、ガイドシャフト４は支持部材４Ａと支持部材４Ｂにより移送ベース５に支持される。以上のように、光ディスク１を記録あるいは再生する移送ユニット５２が構成される。
【００１２】
次に、光ヘッドが移送ユニット５２外で格納される部分の構成について説明する。図７においては、移送ユニット５２外の位置で２個の光ヘッドが格納された状態を表す。６は光ディスク１にデータを記録あるいは再生する第１の光ヘッド、７は同様に光ディスク１にデータを記録あるいは再生する第２の光ヘッドである。６Ａおよび７Ａは各々の光ヘッドから出射される光ビームのイメージであり、矢印はその出射方向を表す。図７に示すように光ビーム６Ａと光ビーム７Ａは互いに同方向である。
【００１３】
８は第１の光ヘッド６を、ガイドシャフト４より待避させて格納するために支持する第１の格納支持ガイド、９は第２の光ヘッド７をガイドシャフト４より待避させて格納するために支持する第２の格納支持ガイド、１０は第１の格納支持ガイドおよび第２の格納支持ガイドを保持する格納支持ベースである。
【００１４】
以上のように、第１の格納支持ガイド８、第２の格納支持ガイド９および格納支持ベース１０で、光ヘッド格納部５３（光ヘッド格納手段）が構成され、筐体１１に固定される。
【００１５】
移送ユニット５２は、光ヘッド格納部５３に格納された第１の光ヘッド６あるいは第２の光ヘッド７からいずれかを選択して、光ヘッド装抜手段（図示せず）により矢印７２方向にガイドシャフト４へ装入するため、あるいはガイドシャフト４に装着された何れかの光ヘッドを矢印７０方向に第１の格納支持ガイド８あるいは第２の格納支持ガイド９のうち何れかへ排出するために、移送ユニット５２を移動させる移送ユニット昇降手段（図示せず）により、矢印７１方向へ上昇あるいは矢印６９方向に下降する。
【００１６】
図７において、１２および１３はそれぞれ、第１の光ヘッド６および第２の光ヘッド７への給電線あるいは信号線を一括して束ねた第１のフラットケーブルおよび第２のフラットケーブルである。これらのフラットケーブルは、各光ヘッドに電力あるいは信号を供給する第１のプリント基板１４および第２のプリント基板１５に、それぞれ第１のコネクタ１２Ａおよび第２のコネクタ１３Ａにより接続される。
【００１７】
１６はディスクトレイである。ディスクトレイ１６は光ディスク１を装置外より装置内へ装入する際に光ディスク１を載置して、矢印７３方向に移動し、また光ディスクを装置内より装置外へ排出する際には光ディスク１を載置して矢印７４方向に移動する。なお、ディスクトレイ１６が矢印７３方向に装入される際あるいは矢印７４方向に排出される際には、移送ユニット５２は矢印６９方向に下降しきった位置にて待避している。
【００１８】
第１の光ヘッド６により光ディスク１にデータの記録あるいは再生を行う際には、装置内へ光ディスク１が装入されると、移送ユニット５２が矢印７１方向に上昇して、ターンテーブル２Ａとクランパ３とにより光ディスク１を挟持し、光ディスク１をターンテーブル２Ａと一体化して回転可能に保持する。この後、第１の光ヘッド６が光ヘッド装抜手段（図示せず）により矢印７２方向に移動してガイドシャフト４に挿入され、第１の光ヘッド６がガイドシャフト４に案内され、移送駆動手段（図示せず）により移送されて光ディスク１の記録あるいは再生が可能となる。ターンテーブル２Ａとクランパ３とによる光ディスク１の挟持方法は、たとえばディスクモータ２のロータを磁性体で構成し、クランパ３に磁石を組み込み、双方を磁力により引きつけることによる方法等がある。
【００１９】
第２の光ヘッド７により光ディスク１に記録あるいは再生を行う際には、装置内へ光ディスク１が挿入されると、まず第２の光ヘッド７が光ヘッド装抜手段（図示せず）によりガイドシャフト４に挿入されて、この後移送ユニット５２が矢印７１方向へ上昇して、ターンテーブル２Ａとクランパ３とにより光ディスク１を挟持し、光ディスク１をターンテーブル２Ａと一体化して回転可能に保持された後、第２の光ヘッド７がガイドシャフト４に案内され、移送駆動手段（図示せず）により移送されて光ディスク１の記録あるいは再生が可能となる。
【００２０】
【発明が解決しようとする課題】
しかしながら、上記のような従来の光ディスク装置の構成においては、光ヘッド６あるいは７のディスク１への記録等の動作に伴って発生した熱により筐体１１の内部が高温となり、熱を受けた光ヘッド基台の熱変形を誘発したり、光ヘッドに搭載された各種光学部品の位置関係が変化したりすることによって安定した信号が得られないといった問題点を有していた。
【００２１】
また、光ヘッドのレーザ光源として多く用いられる半導体レーザの寿命は、一般に使用時における接合部の温度と密接な関係にあり、温度が高くなると指数関数的に寿命が短くなることが知られている。さらに、動作温度が高くなると光出力が小さくなるうえ、発振波長が温度により変化するので、より安定した信号を得るためにも放熱は大変重要な課題となっている。
【００２２】
さらに、放熱の問題は記録中の光ヘッドのみならず、待機している光ヘッドについても悪影響を及ぼすものであり、待機しているヘッドの使用前の温度初期値が高くなるため、記録あるいは再生する光ヘッドを交換して動作しようとしたときにすぐに周囲温度がレーザの許容温度を超えてしまうなどより厳しい環境にあると言える。
【００２３】
この放熱の問題に対しては、従来技術としてファンを用いて熱源近くの空気を対流させて冷却するものがある。しかしながらこの場合、空気の流れにのって塵埃が侵入し、光学部品やディスクに付着することで光量劣化や信号品質劣化を引き起こす。このように放熱性能の向上と防塵性能の向上とは相反する性質のものであり従来より問題を有していた。
【００２４】
本発明は上記課題を解決するものであり、複数のヘッドを有した光ディスク装置においても放熱性、防塵性を高め、レーザの長寿命化と安定した記録あるいは再生を可能とした光ディスク装置を提供することを目的とする。
【００２５】
【課題を解決するための手段】
本発明に係る光ディスク装置は、ディスクを載置して回転させるディスク回転手段と、ディスクに記録あるいは再生を行う複数個の光ヘッドと、光ヘッドをディスクの略一半径方向に移送可能に案内する案内手段と、光ヘッドを案内手段に沿って移送させるための移送駆動手段と、ディスク回転手段と案内手段と移送駆動手段とを一体的に配設するベース部材とを具備した光ディスク装置において、ベース部材と複数の光ヘッドとを略密閉状態で収容する筐体とを設けることにより上記目的が達成される。
【００２６】
なお、筐体のディスク外周側に開口部を設け、開口部を開閉する開閉部材を設け、ディスク外周側に移送した光ヘッドが開閉部材を押し開き、光ヘッドの少なくとも一部が筐体の外部に突出するように構成してもよい。
【００２７】
光ヘッドの少なくとも一部が筐体から突出しているときに光ヘッドと筐体の開口部との間に筐体の開口部を塞ぐ第１のシール部材を設けてもよい。
【００２８】
筐体から突出した光ヘッドの一部を冷却する冷却手段を設けてもよい。
【００２９】
上下に配列された光ヘッドのうち上方にある光ヘッドの下面に、下方にある光ヘッドの集光レンズに当接して除塵する第１の除塵手段を設けてもよい。
【００３０】
筐体内にディスクを保持するトレイを有し、トレイに光ヘッドとトレイとの相対移動により光ヘッドの集光レンズに当接して除塵を行う第２の除塵手段を設けてもよい。
【００３１】
光ヘッドの上面に、第１の除塵手段あるいは第２の除塵手段と当接して第１の除塵手段あるいは第２の除塵手段に付着した塵埃の除去を行う突起部を設けてもよい。
【００３２】
突起部の近傍に、突起部により除去した塵埃を吸着する粘着部を設けてもよい。
【００３３】
第１の除塵手段あるいは第２の除塵手段は光ヘッドの埃を拭き取るブラシで構成してもよい。
【００３４】
筐体は内部の遮断部材により第１の空間と第２の空間とに分割され、第１の空間にベース部材を格納し、第２の空間に光ヘッドを収納し、光ヘッドが第１の空間と第２の空間とを行き来するときに遮断部材を押し開いてもよい。
【００３５】
遮断部材は上下または左右２つの対向する揺動部材から成り、揺動部材の間に光ヘッドのフラットケーブルが通る間隙を設けてもよい。
【００３６】
第１の空間と第２の空間との間で、第１の空間と第２の空間とを略密閉状態で分割する第２のシール部材を設けてもよい。
【００３７】
遮断部材は複数の光ヘッドを個別に内部に格納する遮蔽部材であってもよい。
【００３８】
光ヘッドの集光レンズまわりの可動しろを覆う被覆部材を設けてもよい。
【００３９】
光ヘッドの移送に伴い被覆動作あるいは被覆解除動作を行う被覆部材を設けてもよい。
【００４０】
【発明の実施の形態】
以下、本発明の実施の形態について図面を参照して説明する。なお、以下の説明において図７にて説明した部材に対応する部材には対応する符号を付して詳しい説明は省略する。
【００４１】
（実施の形態１）
図１は、本発明の実施の形態１における光ディスク装置１００の構成を示す側面図である。
【００４２】
図１において、２１は第１の光ヘッド６、第２の光ヘッド７、移送ユニット５２および光ヘッド格納部５３を内部に収納する第１の筐体であり、第１の筐体２１のディスク１外周側の面に開口部２１ａを有している。２２は開口部２１ａの上に設けた開閉部材であり、丈夫に回動軸２２ａを介して第１の筐体２１に取り付けられており、開閉部材２２によって第１の筐体２１は略密閉状態となっている。２３は第１のシール部材であり、第１の筐体２１の内部でかつ開口部２１ａの周囲に設けてある。２４は開口部材２２の近傍に設けた冷却手段であり、代表的なものとして放熱ファンやペルチェ素子などがある。また、図示していないが第１の格納支持ガイド８および第２の格納支持ガイド９は格納支持ベース１０に固定され、格納支持ベースは第１の筐体２１に保持されている。
【００４３】
以上のように構成された本発明の実施の形態１における光ディスク装置において、図１を用いて説明する。
【００４４】
まず、ディスクモータ２によりディスク１を回転させて第１の光ヘッド６がディスク１に記録あるいは再生しているとき、第２の光ヘッド７は光ヘッド格納手段５３にあり待機状態にある。このとき第２の光ヘッド７はディスク外周側へ移送されており、第２の光ヘッド７の一部が開閉部材２２を押すことで開閉部材２２は回動軸２２ａまわりに回動し、第２の光ヘッド７の少なくとも一部が第１の筐体２１の外部に突出している。突出しただけでは第１の筐体２１は略密閉状態でなくなり、そのままの状態だとディスク１の回転により内部が負圧となるため第１の筐体２１内部に埃が侵入することになる。
【００４５】
そこで、さらに第２の光ヘッド７をディスク外周側へ移送してあり、第２の光ヘッド７にて第１のシール部材２３を圧縮することで、開口部２１ａを略密封し、防塵効果を得ている。
【００４６】
ここで、冷却手段２４により第１の筐体２１から突出した第２の光ヘッド７の一部を冷却することで温度上昇の大きい第１の筐体２１内でも第２の光ヘッド７の温度は低く保つことができ、第２の光ヘッド７で記録あるいは再生を行うときに、より安定した動作をできる。
【００４７】
また、第２の光ヘッド７が記録あるいは再生動作を行うときには、第２の光ヘッド７が移送ユニット５２側へと移送され、開閉部材２２が開閉部２１ａを塞ぐため防塵できる。
【００４８】
以上のように、実施の形態１での光ディスク装置の構成によると、複数の光ヘッドを持った光ディスク装置において、記録あるいは再生時においても待機しているヘッドの冷却ができ、外部からも埃の侵入がない光ディスク装置を実現できる。
【００４９】
この結果、レーザの出力が安定化するためにレーザを高出力で維持することができ、レーザの長寿命化にも貢献できる。また、高温時に発生するヘッド基台の変形を防止できるため記録または再生信号の品質が向上するなどメリットは大きい。
【００５０】
なお、本実施の形態１では複数の光ヘッドを用いた光ディスク装置とし、記録あるいは再生中にも待機ヘッドの冷却を行うものとして説明したが、１つのヘッドで待機中に光ヘッドの一部が筐体外に突出する構成としてもよく、同様の冷却効果を得ることができる。
【００５１】
さらに、本実施の形態１では第１のシール部材２３を第１の筐体２１に設けた構成としたが、第２の光ヘッドにシール部材を設けてディスク外周まで移送したときに第１の筐体２１を略密閉するような構成としても良い。この場合も同様の効果を得ることができる。
【００５２】
また、本実施の形態１では第２の光ヘッド７を待機状態にあるものとして説明を行ったが、逆に第２の光ヘッド７が記録あるいは再生を行い、第１の光ヘッド６が待機状態にあり、第１の光ヘッド６の少なくとも一部が第１の筐体２１から突出するようにしてもよい。さらには両方のヘッドが待機時に放熱するように開口部および開口部材を設ける構成としてもよく、待機ヘッドの冷却と筐体の防塵ができることは言うまでもない。
【００５３】
（実施の形態２）
図２は、本発明の実施の形態２における光ディスク装置２００の構成を示す側面図である。
【００５４】
図２において、６ａは第１の光ヘッド６の上方で記録あるいは再生時にディスク１と対向する位置にある第１の集光レンズ、７ａは第２の光ヘッド７の上方で記録あるいは再生時にディスク１と対向する位置にある第２の集光レンズである。
【００５５】
６ｂは第１の光ヘッド６の下面に配設されて第２の光ヘッド７の有する集光レンズ７ｂまでの距離よりも長く構成されている第１の除塵手段である。同様に１６ｂは第２の除塵手段であり、ディスクトレイ１６の下面に配設され、第１の光ヘッド６が持つ第１の集光レンズ６ａまでの距離よりも長く構成されている。第１の除塵手段６ｂや第２の除塵手段１６ｂの代表的なものとしては、金属の導電性を利用して静電気を取り除く除電ブラシや、液体状の薬品を繊維片に染み込ませて除塵する湿式クリーナー等がある。
【００５６】
７ｄは第２の光ヘッド７の上側で第２の集光レンズ７ａよりもわずかに低い高さで、かつ第１の除塵手段６ｂが当接する高さに構成された突起部である。７ｅは突起部７ｄのまわりに配設した粘着部であり、剥離テープやゲル状接着剤などから構成される。２９は上記構成部品を内包する第２の筐体であり、第１の実施形態で述べた第１の筐体２１と同じように略密閉されている。その他の構成については実施の形態１の光ディスク装置１００と同じものである。
【００５７】
このような光ヘッド装置の基本的な動作について図２を用いて説明する。
【００５８】
まず、図２のように第１の光ヘッド６がディスクモータ２に装着されて回転し記録あるいは再生動作を行っていると、回転による空気流により第１の集光レンズ６ａの表面は摩擦を生じて帯電される。また、装置２００内にある埃がディスク１の回転により撒き散らされて、第１の集光レンズ６ａおよび第２の集光レンズ７ａに埃が付着しやすくなっている。
【００５９】
ここで、図２に示すように第１の除塵手段６ｂを第１の集光レンズ６ａよりもディスク外周側に配設した場合、第１の光ヘッド６が光ヘッド格納部５３に格納される際に第１の除塵手段６ｂは第２の光ヘッド７の有する第２の集光レンズ７ａに接触する。また、図示しないが第１の除塵手段６ｂを第１の集光レンズ６ａよりもディスク内周側に配設した場合には、第１の光ヘッド６および第２の光ヘッド７が光ヘッド格納部５３に格納された状態から第２の光ヘッド７を移送ユニット５２に装着するために移送する際には第１の除塵手段６ｂは第２の光ヘッド７の有する第２の集光レンズ７ａに接触する。
【００６０】
以上のような接触動作により、第２の集光レンズ７ａ上に付着していた塵埃の一部は第１の除塵手段６ｂによりかき分けられて第２の集光レンズ７ａの縁に移動される。また付着していた塵埃の一部は第１の除塵手段６ｂにより装置２００内にかき飛ばされる。さらに付着していた塵埃の一部は第１の除塵手段６ｂに付着する。
【００６１】
第１の除塵手段６ｂに着いた塵埃は第２の突起部７ｄに当接して掻き落とされるため埃が多く付着した状態で再度第２の集光レンズ７ａを拭きに行くことが無いよう工夫している。
【００６２】
さらに、突起部７ｄにより掻き落とされた埃の一部を粘着部７ｅにより吸着する構成としているため再度埃が撒き散らないようにしている。
【００６３】
上記のようにして第２の集光レンズ７ａに着いていた塵埃は記録あるいは再生するときに問題ないレベルまで取り除くことが可能となるため、レーザの光量を落とす原因となる塵埃を除去でき、レーザの出力を上げる必要も無く、また信号検出に際しても塵埃によって遮られることがなくなるため、安定した記録あるいは再生動作を行うことができる。
【００６４】
同様のことが第１の光ヘッド６にも適用でき、第２の除塵手段１６ｂは第１の光ヘッド６を光ヘッド格納手段５３に格納するとき、あるいはディスクトレイ１６のローディング時に、第１の光ヘッド６とディスクトレイ１６との相対移動を生じ、第２の防塵手段１６ｂが第１の光ヘッド６の第１の集光レンズ６ａに当接して除塵を行う。
【００６５】
以上のように本実施の形態２では、光ヘッドの集光レンズに効果的に除塵手段を設けることで防塵効果の高い光ディスク装置を提供できる。
【００６６】
なお、第１の実施形態と同じように第２の筐体に開口部を設けて光ヘッドの少なくとも一部を筐体から突出させて冷却手段により冷却するように構成しても良く、この場合には放熱と防塵という課題を同時に解決できる。
【００６７】
（実施の形態３）
図３は、本発明の実施の形態３における光ディスク装置３００の構成を示す側面図である。このうち図３（Ａ）は第１の光ヘッド６が移送ユニット５２に搭載されている場合を示し、図３（Ｂ）は第２の光ヘッド７が移送ユニット５２に搭載されている場合を示している。
【００６８】
図３（Ａ）および図３（Ｂ）において、３１は第２の実施形態と同様に移送ユニット５２および複数の光ヘッド６、７を内部にもつ第３の筐体である。３２は第３の筐体３１内で移送ユニット５２がある領域と光ヘッド格納部５３がある領域とを分割する遮断部材である。３３は移送ユニット５２がある側で第１の空間、３４は光ヘッド格納部５３がある側で第２の空間である。３６は第２の空間３４を上下２分割する遮蔽部材であり、上方に第１の光ヘッド６が、下方に第２の光ヘッド７が格納される。
【００６９】
遮断部材３２は第１の光ヘッド６に対して上下に対向する第１の揺動部材３２ａと第２の揺動部材３２ｂとからなり、ともに回動部を有して左右どちらにでも倒れるように構成されている。揺動部材３２ａ、３２ｂは通常はねじりばね（図示せず）により直立姿勢を保ち、それらの間には第１のフラットケーブル１２が通る高さに間隙が設けられている。
【００７０】
また、第２の光ヘッド７に対しては、第３の揺動部材３２ｃにより遮断する構成としている。このことにより複数の光ヘッドが個別に格納されるようになっている。
【００７１】
第３の揺動部材３２ｃの上端には回動軸を有し、重力により略中央で停止するようになっている。３２ｄは第３の揺動部材３２ｃの回動軸とは反対側の壁面に設けた第２のシール部材である。３５は第２のフラットケーブル１３のヘッド側とは異なる側の端部を回動するフラットケーブル回動部であり、剛性の低いゴムなどのやわらかい材質で構成されている。第２のフラットケーブル１３の端部は第２の光ヘッド７が第２の空間３４に格納されている場合には第２の空間３４側にあり、第２の光ヘッド７が移送ユニット５２に搭載されている場合には第１の空間３３側にあるよう凡そ１８０度の回動が可能に構成されている。
【００７２】
また、第２のシール部材３２ｄはフラットケーブル回動部３５に当接するように構成されている。
【００７３】
以上のように構成された本発明の実施の形態３における光ディスク装置３００において、図３（Ａ）および図３（Ｂ）を用いてその動作を説明する。
【００７４】
まず、図３（Ａ）に示すように第１の光ヘッド６にて記録あるいは再生動作を行っているときには第１の空間３３に第１の光ヘッド６が挿入され、第２の空間３４に第２の光ヘッド７が格納されている。このとき第１の光ヘッド６はディスク１の内周から外周間を移動するため、第１のフラットケーブル１２は揺動部材３２ａ、３２ｂ間の間隙を通る。
【００７５】
次に、記録あるいは再生を終え、ディスク１をアンローディングするときには第１の光ヘッド６はディスク外周方向へ移送され揺動部材３２ａ、３２ｂに当接し、押し開きながら光ヘッド格納部５３へと移送される。このとき第１の集光レンズ６ａは揺動部材３２ａにより損傷しないようにシールドカバーよりも低くなるように構成している。
【００７６】
第１の光ヘッド６がディスク格納部５３に格納されてしまうと、揺動部材３２ａ、３２ｂはねじりばねの作用により中立状態へと戻る。第１の光ヘッド６が格納状態から記録あるいは再生動作に移るときには逆の動作を行い、第１の光ヘッド７が揺動部材３２ａ、３２ｂを押し開き、移送ユニット５２へと挿入される。挿入された後の揺動部材３２ａ、３２ｂはねじりばねの作用により元の状態に戻る。勿論、第１のフラットケーブル１２は第１の揺動部材３２ａと第２の揺動部材３２ｂの間の空隙を通過する。
【００７７】
第１の光ヘッド６が記録あるいは再生しているときには第２の光ヘッド７は第３の揺動部材３２ｃと遮蔽部材３６により略密閉状態の空間に格納されているので、ディスク１の回転に伴う粉塵のまわりこみなどがなく、記録あるいは再生時には安定した動作を行うことができる。
【００７８】
次に、図３（Ａ）の状態から図３（Ｂ）の状態、すなわち第２の光ヘッド７による記録あるいは再生動作に至るまでの動作について説明する。
【００７９】
第１の光ヘッド６はディスク外周方向へ移送され揺動部材３２ａ、３２ｂに当接し、押し開きながら光ヘッド格納部５３へと移送される。第１の光ヘッド６がディスク格納部５３に格納された後、揺動部材３２ａ、３２ｂはねじりばねの作用により中立状態へと戻る。その間、移送ユニット５２は図中下方へと下がり、第２の光ヘッド７を第１の空間３３側へ移送する。すなわち第２の光ヘッド７は揺動部材３２ｃに当接しつつ押し開いた後、移送ユニット５２に搭載されて移送ユニット５２ごとディスク１近傍まで上昇し、図３（Ｂ）に示すような状態となり、ディスク１に記録あるいは再生を行う。
【００８０】
このとき、第２の空間３４内にあった第２のフラットケーブル端はフラットケーブル回動部３５の回動により第１の空間３３内へと移り、第３の揺動部材３２ｃおよび第２のシール部材３２ｄにより第２の空間３４、とりわけ第２の光ヘッド７が格納されていた下側の第２の空間は略密閉状態が保たれる。
【００８１】
逆に第２の光ヘッド７を第２の空間３４に格納する場合には、移送ユニット昇降手段（図示せず）により移送ユニット５２を下側に下降させて、第２の光ヘッド７を第２の空間３４側へと移送する。第２の光ヘッド７は移送時に第３の揺動部材３２ｃを押し、第２のシール部材３２ｄを撓ませながら第２の空間３４へと挿入される。このとき、第２のフラットケーブル１３の端部は第１の空間３３から第２の空間３４へと回動し、第２の空間３４の密閉性を高め、埃が入らないようにして防塵性能を向上させている。
【００８２】
なお、本実施の形態では第１の集光レンズ６ａは揺動部材３２ａにより損傷しないようにシールドカバーよりも低くなるように構成するものとしたが、集光レンズ６ａの部分を通電することにより下側に駆動させておいてもよく、この場合ディスクと集光レンズとのクリアランスにとらわれることなく、自由な設計を行うことができる。
【００８３】
また、本実施の形態では第１の実施形態あるいは第２の実施形態で述べた放熱策および除塵策を入れずに説明したが、それぞれを組み合わせて構成してもよく、その場合には防塵および放熱といったほぼ相反する性能を兼ね備えた光ディスク装置を提供することができる。
【００８４】
さらに、図４に第３の実施形態の変形例を示す。図４（Ａ）は第３の実施形態の変形例を示す平面図であり、図４（Ｂ）は第３の実施形態の変形例を示す側面図である。３２ｅは第３の筐体３１の上面内部に取り付けられた複数ののれん状遮断部材であり、布やセロハンなどのやわらかい材質で構成されている。この動作は第３の実施形態と同じようなもので、第３の実施形態では遮断部材を上下で構成するように説明したが、本変形例では左右に構成したものである。
【００８５】
第２の光ヘッド７が通過するときにのれん状遮断部材が撓み、掻き分けられる。また、第２のフラットケーブル１３はこの複数ののれん状遮断部材３２ｅの間を通過する。この場合、第３の実施形態で述べたような防塵性能を持つだけでなく、のれん状遮断部材３２ｅによる除塵効果も期待できる。さらにのれん状遮断部材３２ｅを導電性の材質のもので構成することにより、さらなる除塵効果を持たせることが可能である。
【００８６】
（実施の形態４）
図５は、本発明の実施の形態４における光ディスク装置４００の構成を示す側面図である。このうち図５（Ａ）は第２の光ヘッドが防塵されていない状態を示す図であり、図５（Ｂ）は第２の光ヘッドが防塵された状態を示す図である。
【００８７】
図５（Ａ）および図５（Ｂ）において、基本的な構成は実施の形態３で示したものとほぼ同じものである。異なるのは、５５の光ヘッドの集光レンズまわりの可動しろを覆う被覆部材を設けたことである。
【００８８】
まず、図６を用いて光ヘッドの集光レンズまわりの可動しろについて説明する。
【００８９】
図６は光ヘッドの集光レンズまわりの可動しろを説明する部分分解斜視図である。図６において６１が集光レンズであり、６２は集光レンズ６１を保持するレンズホルダ、６３はレンズホルダ６２を支持するワイヤである。図示しないがレンズホルダ６２にはコイルもしくはマグネットが搭載されており、このヘッド部分に通電することにより電界を発生し、マグネットの磁界と作用してレンズホルダ６２を上下、左右に駆動するようになっている。６４はワイヤ６３の端部を支持しているアクチュエータホルダであり、６５はアクチュエータホルダ６４に固定され、レンズホルダ６２の上方向の移動を規制するアクチュエータカバーである。
【００９０】
６５ａはアクチュエータカバー６５の上面に開けられたアクチュエータ開口部であり、集光レンズで集められたレーザの光が通る部分である。
【００９１】
ここでレンズホルダ６２は上下左右に可動であるため、アクチュエータ開口部６５ａは自ずと広がることになる。この広がった空間から塵埃が進入するため、防塵の観点からはこの集光レンズ６１の可動しろ、すなわちアクチュエータ開口部６５ａを覆う必要がある。
【００９２】
図５に戻り説明を続ける。５５は先述した被覆部材であり、５５ａは被覆部材５５に設けられた回動部である。５５ａは例えば被覆部材５５の側面に設けられた穴であり、その穴に軸が貫通されており、軸が第４の筐体５６に固定されている。５５ｂは第２の光ヘッド７の開口部６５ａを覆う被覆部、５５ｃは回動部５５ａに対し被覆部５５ｂとは異なる端部に設けられたレバー部である。５５ｄはレバー部５５ｃに設けられた圧縮コイルばねである。
【００９３】
以上のように構成された光ディスク装置４００において、その動作を説明する。
【００９４】
まず、図５（Ａ）に示すような状態で第２の光ヘッド７が格納されたときにディスク外周側へ移送すると第２の光ヘッド７の一部がレバー部５５ｃに当接する。さらに押し込むとレバー部５５ｃは押されて圧縮コイルばね５５ｄが第４の筐体５６に接触し圧縮をはじめる。同時に被覆部材５５は回動部５５ａまわりに回転し、被覆部５５ｂが第２の光ヘッド７の開口部を塞ぎ、図５（Ｂ）に示すような状態となる。このとき、第２の光ヘッド７の内部は略密閉状態となり、塵埃の入り込む経路が遮断される。
【００９５】
次に、第２の光ヘッド７により記録あるいは再生動作を行わせるときには、上記動作と逆の作用により被覆解除動作を行う。説明すると、第２の光ヘッド７がディスク内周側へ移送されてレバー部５５ｃは圧縮コイルばね５５ｄの作用により力を受け、回動部５５ａを介して被覆部５５ｂは上昇する。このため、集光レンズ７ａに傷を付けることなく、被覆動作および被覆解除動作を行うことができる。
【００９６】
この場合、小型で構成可能なうえ被覆するのに特別な動力を必要とせず簡単に構成可能である。
【００９７】
なお、本実施の形態では第２の光ヘッド７について説明したが、第１の光ヘッド６あるいは３個以上のヘッドにあっては３個目以降の光ヘッドについて実施可能である。
【００９８】
また、上記実施の形態では複数のヘッドを搭載したディスク装置で説明してきたが、単独のヘッドでも実施可能なものである。
【００９９】
【発明の効果】
以上のように本発明によれば、光ディスク装置においてディスクを載置して回転させるディスク回転手段と、ディスクに記録あるいは再生を行う複数個の光ヘッドと、光ヘッドをディスクの略一半径方向に移送可能に案内する案内手段と、光ヘッドを案内手段に沿って移送させるための移送駆動手段と、ディスク回転手段と案内手段と移送駆動手段とを一体的に配設するベース部材と、ベース部材と複数の光ヘッドとを略密閉状態で収容する筐体とを具備することで、塵埃に強い光ディスク装置を提供することができる。
【０１００】
また、筐体のディスク外周側に開口部を設け、開口部を開閉する開閉部材を設け、ディスク外周側に移送した光ヘッドが開閉部材を押し開き、光ヘッドの少なくとも一部が筐体の外部に突出するようにしたことで、放熱性能の優れた光ディスク装置とすることができる。
【０１０１】
また、光ヘッドの少なくとも一部が筐体から突出しているときに光ヘッドと筐体の開口部との間に筐体の開口部を塞ぐ第１のシール部材を具備することによって、防塵と放熱を兼ね備えた光ディスク装置とすることができる。
【０１０２】
さらに、筐体から突出した光ヘッドの一部を冷却する冷却手段を設けることで放熱性能を向上することができる。
【０１０３】
また、上下に配列された光ヘッドのうち上方にある光ヘッドの下面に、下方にある光ヘッドの集光レンズに当接して除塵する第１の除塵手段を設けることにより、あるいは筐体内にディスクを保持するトレイを有し、トレイに光ヘッドとトレイとの相対移動により光ヘッドの集光レンズに当接して除塵を行う第２の除塵手段を設けることにより、集光レンズに付着した塵埃も取り除くことができ、安定した信号品質を保つことができる。
【０１０４】
加えて、光ヘッドの上面に、第１の除塵手段あるいは第２の除塵手段と当接して第１の除塵手段あるいは第２の除塵手段に付着した塵埃の除去を行う突起部を設けることにより、除塵手段に付着した埃により再度集光レンズが汚染されないようにすることができる。
【０１０５】
さらに、突起部の近傍に、突起部により除去した塵埃を吸着する粘着部を設けることにより、除塵手段により取り除き、突起部によりかき落とした塵埃が再び筐体内に飛散するのを防止できる。
【０１０６】
また、筐体は内部の遮断部材により第１の空間と第２の空間とに分割され、第１の空間にベース部材を格納し、第２の空間に光ヘッドを収納し、光ヘッドが第１の空間と第２の空間とを行き来するときに遮断部材を押し開くことにより、特別な動力を必要とせずに格納時のヘッドの防塵性能を高めることができる。
【０１０７】
さらに、遮断部材は上下または左右２つの対向する揺動部材から成り、揺動部材の間に光ヘッドのフラットケーブルが通る間隙を設けたことにより、光ヘッドの移送時に負荷を増やすことなく防塵が行える。
【０１０８】
また、第１の空間と第２の空間との間で、第１の空間と第２の空間とを略密閉状態で分割する第２のシール部材を具備することにより、格納時の密閉状態を高め、防塵性能を高めることで長期間安定した光ディスク装置を提供できる。
【０１０９】
また、遮断部材は複数の光ヘッドを個別に内部に格納する遮蔽部材とすることにより第２の空間が一部汚染されたとしても一個の光ヘッドだけで汚染がとどまり、他の光ヘッドに悪影響を及ぼすことのない光ディスク装置を実現できる。
【０１１０】
さらに、光ヘッドの集光レンズまわりの可動しろを覆う被覆部材を設けたことにより、小型かつ防塵に対応した光ディスク装置を構成できる。
【０１１１】
最後に、光ヘッドの移送に伴い被覆動作あるいは被覆解除動作を行う被覆部材を設けたことにより、特別な動力を必要とせず小型で防塵性能の高い光ディスクを提供できるものである。
【図面の簡単な説明】
【図１】本発明の実施の形態１における光ディスク装置１００の構成を示す側面図
【図２】本発明の実施の形態２における光ディスク装置２００の構成を示す側面図
【図３】本発明の実施の形態３における光ディスク装置３００の構成を示す側面図
【図４】本発明の実施の形態３の変形例を示す部分平面図および部分側面図
【図５】本発明の実施の形態４における光ディスク装置４００の構成を示す側面図
【図６】本発明の実施の形態４における光ディスク装置４００の構成を説明するアクチュエータの部分分解斜視図
【図７】従来の光ディスク装置の構成を示す側面図
【符号の説明】
６　第１の光ヘッド
７　第２の光ヘッド
２１　第１の筐体
２１ａ　開口部
２２　開閉部材
２３　第１のシール部材
２４　冷却手段
【図１】
2004030735.tif 000003
【図２】
2004030735.tif 000004
【図３】
2004030735.tif 000005
【図４】
2004030735.tif 000006
【図５】
2004030735.tif 000007
【図６】
2004030735.tif 000008
【図７】
2004030735.tif 000009